(57)【要約】  【課題】  比較的簡易に移動できるように折畳み可能であり、且つ店舗の高級化を図る衣服販売店の要望に応え得る試着室を提供する。  【解決手段】  人の出入口側に設けられた扉１１及びその取付け枠１２と、側壁１３と、後壁１４とを備え、各側壁１３は複数の板体１３ａ〜１３ｄが枢着されて成り、この複数の板体１３ａ〜１３ｄを回動させて折りたたむことにより、出入口側に設けられた扉１１を取り外すことなく折畳み可能に形成された。【選択図】  図１
2007002459.tif 000002
【特許請求の範囲】
【請求項１】
出入口側に設けられた扉を取り外すことなく折畳み可能に形成されたものである折畳み式試着室。
【請求項２】
出入口側に設けられた扉及びその取付け枠と、両側の側壁と、後壁とを備え、該各側壁は複数の板体が折畳み可能に枢着されて成り、該複数の板体を回動させることにより、出入口側に設けられた扉を取り外すことなく折畳み可能に形成されたものである折畳み式試着室。
【発明の詳細な説明】
【技術分野】
【０００１】
本発明は、出入口側に扉を有する折畳み式試着室に関する。
【背景技術】
【０００２】
小売店や百貨店等のような衣服販売店では、衣服の販売に際して顧客が実際に衣服を試着できるように試着室が設けられている。試着室の出入口は、多くの場合、カーテンで塞がれており、カーテンは出入口の枠体や天井に設けられたレールに沿って移動するように設けられている。しかしながら、このようにカーテンが吊るされただけの試着室は簡易な構造ゆえに、顧客に安っぽい印象を与えかねず、店舗の高級化を図る衣服販売店にとっては好ましいものではなかった。そのため、このような店舗では、出入口に扉が設けられた試着室を使用しており、例えば、実開平０１−１０７７６９号（特許文献１）には、前壁と後壁と側壁によりボックス状に形成され、出入口に扉が設けられた試着室が記載されている。
【０００３】
一方、百貨店などの比較的大型の販売店では、必要に応じて各店舗内のレイアウトを変更したり、或いは、一時的に衣服販売会場を増設することがあるため、移動可能な試着室に対する需要が比較的多く存在する。しかしながら、上記特許文献１の試着室は、所定の場所に固定されるものであり、簡易に移動できるようなものではなく、このような要望に応え得るものではない。
【０００４】
比較的簡易に移動可能な試着室としては、例えば、特開２０００−１４５１８２号公報（特許文献２）に記載されたものがあり、その試着室は、鏡が取り付けられた背板と、この背板に回動自在に枢着された左右側板と、背板の下部に枢着された床板とを有し、左右側板の上端部に掛け渡されたカーテンレールが着脱自在に取り付けられており、試着室の出入口はカーテンにより開閉される。確かに、特許文献２の試着室は移動可能ではあるものの、折畳みを可能にするために、出入口を着脱自在なカーテンにしなければならず、店舗の高級化を図る衣服販売店の要望には応え得るものではなかった。
【０００５】
本出願に際して試着室に関する先行技術調査を行った結果、特許文献１及び２に加えて、下記の文献が見出された。
【特許文献１】実開平０１−１０７７６９号公報
【特許文献２】特開２０００−１４５１８２号公報
【特許文献３】特開２００２−２０６３７４号公報
【特許文献４】特開平１０−４６８４６号公報
【発明の開示】
【発明が解決しようとする課題】
【０００６】
本発明は上記従来の問題を解決するものであって、その課題は、比較的簡易に移動できるように折畳み可能であり、且つ店舗の高級化を図る衣服販売店の要望に応え得る試着室を提供することである。
【課題を解決するための手段】
【０００７】
本発明の上記課題は下記の手段によって解決される。
【０００８】
（１）出入口側に設けられた扉を取り外すことなく折畳み可能に形成されたものである折畳み式試着室。
【０００９】
（２）出入口側に設けられた扉及びその取付け枠と、両側の側壁と、後壁とを備え、該各側壁は複数の板体が折畳み可能に枢着されて成り、該複数の板体を回動させることにより、出入口側に設けられた扉を取り外すことなく折畳み可能に形成されたものである折畳み式試着室。
【発明の効果】
【００１０】
上記（１）（２）に記載の試着室は、出入口に扉や扉枠を設けたものであるため、高級感のある店舗にも調和させ易く、且つ出入口に設けられた扉や扉枠を取り外したり或いは分解することなく折畳み可能に形成されたものであるため、比較的簡易に移動することが可能である。
【発明を実施するための最良の形態】
【００１１】
以下、図面を参照しながら本発明の実施形態を説明する。
図１（ａ)〜（ｃ）は折畳み式試着室１０のそれぞれ正面図、側面図、背面図であり、図２は本発明に係る折畳み式試着室１０の平面図である。
【００１２】
本発明に係る折畳み式試着室１０は、図１（ａ）に示したように、扉１１が出入口枠体１２に取り付けられ、この出入口枠体１２に左右両側の側壁１３が取り付けられ、これら側壁１３に後壁１４（図１（ｃ）参照）が取り付けられ、可動床板１５が着脱可能に室内に設置されている。
なお、以下において説明する各部材は、木材等の所望の材料を組み立てて形成するか、あるいは所定の複数の部材毎に合成樹脂材料等により一体成形で形成することができる。
【００１３】
ここで、出入口枠体１２は、図１（ａ）に示したように、上下左右に配置された枠材１２ａ〜１２ｄが組み立てられたものであり、下に配置された枠材１２ｂの両端下面にそれぞれ取付板１６ａを介してキャスター１７ａが固定されている。キャスター１７ａにはストッパーが設けられており、このストッパーを適宜操作してキャスター１７ａを転動可能にしたり、或いは転動不可能な停止状態にすることができる。また扉１１は出入口枠体１２に取り付けられた折畳み回転扉であり、点線で示したような軌道で開閉するものである。このような折畳み回転扉は慣用品を使用すれば良く、例えば、本出願人が既に出願済みの折畳み回転扉、すなわち、特開２００１−２８８９５２号公報、特開２００１−２８８９５４号公報或いは特開２００１−２８８９５９号公報等に記載されたものを使用することができる。
なお、扉１１や出入口枠体１２は、特に折畳み回転扉に限定されるものではなく、これ以外の扉を使用することも可能であり、例えば、蝶番により出入口枠体に取り付けられた扉を使用しても良い。出入口枠体１２は、木材等の所望の材料からなる枠材１２ａ〜１２ｄを組み立てて形成するか、あるいは、合成樹脂材料等により枠材１２ａ〜１２ｄを一体成形することも可能である。
【００１４】
左右両側の側壁１３は、図１（ｂ）及び図２に示したように、それぞれ枠体固定板１３aと２枚の回動板１３ｂ，１３ｃと後壁固定板１３ｄとから構成することが可能である。枠体固定板１３aは出入口枠体１２に固定され、この枠体固定板１３ａに一方の回動板１３ｂが長蝶番１８ａで枢着されている。後壁固定板１３ｄは後壁１４に固定され、この後壁固定板１３ｄに他方の回動板１３ｃが長蝶番１８ｂで枢着され、２枚の回動板１３ｂ，１３ｃどうしが長蝶番１８ｃで枢着されている。
これら長蝶番１８ａ〜１８ｃは、２枚の回動板１３ｂ，１３ｃが室内側へ回動して、図３に示したように折畳み可能なように配置される。この図３は折畳まれた状態の折畳み式試着室１０の平面図であり、この折畳まれた状態の折畳み式試着室１０の側面図が図４である。
なお枠体固定板１３a、２枚の回動板１３ｂ，１３ｃ及び後壁固定板１３ｄをそれぞれ枢着するためには、上述した長蝶番１８ａ〜１８ｃに替えて、図７に示したような平蝶番２８を使用することもできる。
【００１５】
次に、図５は図２におけるV−V線に沿った断面図である。
後壁１４の室内側には、図５に示したように鏡１９と照明２０が固定され、後壁１４の下端と一対の後壁固定板１３ｄ，１３ｄには固定床板２１が固定され、この固定床板２１の両端下面にそれぞれ取付板１６ｂを介してキャスター１７ｂが固定されており、このキャスター１７ｂには、キャスター１７ａと同様にストッパーが設けられている。
【００１６】
次に、図６は図１におけるVI−VI線に沿った断面図である。
可動床板１５は、図２及び図６に示したように、２枚の板材１５ａ,１５ｂが蝶番１５ｃにより枢着され、一方の板材１５ｂに取手１５ｄが設けられている。この可動床板１５は、折畳み式試着室１０の内部に設けられた床受け部材２２ａ〜２２ｄに支持される。床受け部材２２ａは出入口枠体１２の枠材１２ｂに固定され、床受け部材２２ｂは固定床板２１に固定され、床受け部材２２ｃ，２２ｄはそれぞれ回動板１３ｂ，１３ｃの下端に固定され、可動床板１５の外周部分がこれら床受け部材２２ａ〜２２ｄの上に載置される。このような構成により、取手１５ｄを把持して可動床板１５を上方に引き上げるだけで、図６の点線に示したように、板材１５ａ，１５ｂは蝶番１５ｃを中心に折畳まれて、取り外すことができる。
なお、床受け部材２２ａ〜２２ｄは合成樹脂材料等により、それぞれ枠材１２ｂ、固定床板２１及び回動板１３ｂ，１３ｃの下端と一体成形することも可能である。
【００１７】
次に、折畳み式試着室１０を折畳む方法について説明する。
折畳み式試着室１０は、図１、図２及び図５に示した状態のときに使用可能であり、この状態から折畳むときには最初に扉１１を開き、可動床板１５を図６に示したように引き上げながら折り曲げて、これを取り外す。次に、側壁１３の回動板１３ｂ，１３ｃを図３に示したように折畳めば、折畳み式試着室１０の折畳みが完了する。さらに、キャスター１７ｂのストッパーを解除すれば、キャスター１７ｂを転動させて折畳み式試着室１０を容易に移動することができる。
【図面の簡単な説明】
【００１８】
【図１】（a）〜（c）は折畳み式試着室のそれぞれ正面図、側面図、背面図である。
【図２】本発明に係る折畳み式試着室の平面図である。
【図３】折畳まれた状態の折畳み式試着室の平面図である。
【図４】折畳まれた状態の折畳み式試着室の側面図である。
【図５】図１におけるV−V線に沿った断面図である。
【図６】図１におけるVI−VI線に沿った断面図である。
【図７】異なる蝶番を用いた場合の折畳み式試着室の側面図である。
【符号の説明】
【００１９】
１０  折畳み式試着室
１１  扉
１２  出入口枠体
１３  側壁
１３ａ  枠体固定板
１３ｂ  回動板
１３ｃ  回動板
１３ｄ  後壁固定板
１４  後壁
１５  可動床板
１８ａ〜１８ｃ  長蝶番
【図１】
2007002459.tif 000003
【図２】
2007002459.tif 000004
【図３】
2007002459.tif 000005
【図４】
2007002459.tif 000006
【図５】
2007002459.tif 000007
【図６】
2007002459.tif 000008
【図７】
2007002459.tif 000009